(57)【特許請求の範囲】
【請求項１】
略円錐台形状をなして上部中央に平面状のテーブルを有するクラウンと、略円錐形状をなして下部中央に鋭いキューレットを有するパビリオンと、前記クラウンと前記パビリオンとの境界部の周面を構成するガードルとを備える宝石類において、
前記テーブルが、略正ｎ角形状（ｎ：２４以上３０以下の整数）に形成されて、略円形状をなし、
前記クラウンの周面に、平面視において前記テーブルの径方向に沿って前記テーブルの外周縁から前記ガードルまで延びる稜線が、複数形成され、
前記稜線間が、複数の微小ファセットから構成されるファセット群とされ、
前記クラウンの周面に、前記テーブルよりも小さい略円形状の１つの平面からなるファセット（以下、「小円ファセット」という。）が、前記テーブルに接して形成され、
前記クラウンは、前記クラウンの周面にｎ群の前記ファセット群を並設して３群以上の前記ファセット群に及んで前記小円ファセットを設けるとともに当該３群以上のファセット群の一部を欠落させた部分を前記小円ファセットとした形状に、形成されていることを特徴とする宝石類。
【請求項２】
複数の前記小円ファセットが、平面視において、前記テーブルの周囲における前記クラウンの周面を等分しない位置に設けられることを特徴とする請求項１記載の宝石類。
【請求項３】
前記各ファセット群が、上辺と下辺とが平行で上辺が下辺よりも短い略台形状の４個以上の前記微小ファセット（以下、「ステップファセット」という。）が平面視において前記テーブルの径方向に沿って連設されたステップファセット列を含み、
前記ステップファセット列は、最上位の前記ステップファセットの上辺が前記テーブルの端辺と共通とされ、最上位の前記ステップファセット以外の前記ステップファセットの上辺がその１つ上の前記ステップファセットの下辺と共通とされ、下位の前記ステップファセット程前記テーブルに対する傾きが大きくなるように構成されていることを特徴とする請求項１又は２記載の宝石類。
【発明の詳細な説明】
【技術分野】
【０００１】
本発明は、新規なカット面を有するダイヤモンド等の宝石類に関する。
【背景技術】
【０００２】
従来から、ダイヤモンドのカットとして、テーブルと称される中央の平面部分を有して略円錐台形状をなすクラウンと、キューレットと称される尖端部分を有して略円錐形状をなすパビリオンと、クラウンとパビリオンとの境界周面をなす略円形状のガードルとを有するものが知られている（下記特許文献１参照）。
【０００３】
そして、下記特許文献２には、クラウン上の略円形状のテーブルの周囲に８個の花びら形状のカット面を均等に配することにより、平面視において花の形を視認させようとした宝石が記載されている。
【先行技術文献】
【特許文献】
【０００４】
【特許文献１】特開２００６−２１８１６３号公報
【特許文献２】意匠登録第１２１１５４７号公報
【発明の概要】
【発明が解決しようとする課題】
【０００５】
しかし、上記特許文献２記載の宝石では、同文献の正面図を示す図１４のように、花びら形状の各カット面１００は、１つの平面からなるものではなく、ガードル１０２に接する下部１００ｂがテーブルに接する上部１００ａよりもテーブル１０１に対する角度が大きくなるように折れ曲がった折曲面であり、下部１００ｂと、クラウン１０４上にガードル１０２に沿って配置されている略三角形状のファセット（切子面）１０３とは、その形状、高さ方向における位置、及び、テーブル１０１に対する角度が同じであるため、下部１００ｂとファセット１０３とで光の射出状態が略同じになってしまい、コントラストが弱くなって、花の形を明確に視認させることができないという問題があった。
【０００６】
本発明は、上述した問題を解決するものであり、花の形や雪だるまの形等、大小の略円形からなる形状を明確に視認させることが可能な宝石類を提供することを目的とする。
【課題を解決するための手段】
【０００７】
本発明の宝石類は、略円錐台形状をなして上部中央に平面状のテーブルを有するクラウンと、略円錐形状をなして下部中央に鋭いキューレットを有するパビリオンと、前記クラウンと前記パビリオンとの境界部の周面を構成するガードルとを備える宝石類において、
前記テーブルが、略正ｎ角形状（ｎ：２４以上３０以下の整数）に形成されて、略円形状をなし、
前記クラウンの周面に、平面視において前記テーブルの径方向に沿って前記テーブルの外周縁から前記ガードルまで延びる稜線が、複数形成され、
前記稜線間が、複数の微小ファセットから構成されるファセット群とされ、
前記クラウンの周面に、前記テーブルよりも小さい略円形状の１つの平面からなるファセット（以下、「小円ファセット」という。）が、前記テーブルに接して形成され、
前記クラウンは、前記クラウンの周面にｎ群の前記ファセット群を並設して３群以上の前記ファセット群に及んで前記小円ファセットを設けるとともに当該３群以上のファセット群の一部を欠落させた部分を前記小円ファセットとした形状に、形成されていることを特徴とする。
【０００８】
これによれば、テーブル及び小円ファセットはいずれも略円形状の１つの平面から構成されているので、テーブル及び小円ファセットと、微小ファセットが配置された部分とで、光の射出状態が大きく異なってコントラストが強くなり、大小の略円形からなる形状を明確に視認させることが可能となる。
【０００９】
また、複数の前記小円ファセットが、平面視において、前記テーブルの周囲における前記クラウンの周面を等分しない位置に設けられるように構成してもよい。
【００１０】
これによれば、テーブルの周囲の小円ファセットが配置されている側と配置されていない側とのコントラストが強くなるため、小円ファセットが配置されている側に看者が注目し易くなり、大小の略円形からなる形状を更に明確に視認させることが可能となる。
【００１１】
また、前記各ファセット群が、上辺と下辺とが平行で上辺が下辺よりも短い略台形状の４個以上の前記微小ファセット（以下、「ステップファセット」という。）が平面視において前記テーブルの径方向に沿って連設されたステップファセット列を含み、
前記ステップファセット列は、最上位の前記ステップファセットの上辺が前記テーブルの端辺と共通とされ、最上位の前記ステップファセット以外の前記ステップファセットの上辺がその１つ上の前記ステップファセットの下辺と共通とされ、下位の前記ステップファセット程前記テーブルに対する傾きが大きくなるように構成されていることとしてもよい。
【００１２】
これによれば、整然と並ぶ略台形状のステップファセットを欠落させて、略円形状の平面からなる小円ファセットが形成されることとなるので、小円ファセットを際立たせることができる。
【発明の効果】
【００１３】
本発明によれば、平面視において、花の形や雪だるまの形等、大小の略円形からなる形状を明確に視認させることが可能な宝石類を提供できる。
【図面の簡単な説明】
【００１４】
【図１】本発明の第１実施形態に係る宝石類の平面図である。
【図２】第１実施形態の底面図である。
【図３】第１実施形態の背面図である。
【図４】第１実施形態の正面図である。
【図５】第１実施形態の左側面図である。
【図６】第１実施形態の斜視図である。
【図７】本発明の第２実施形態に係る宝石類の平面図である。
【図８】本発明の第３実施形態に係る宝石類の平面図である。
【図９】本発明の第４実施形態に係る宝石類の平面図である。
【図１０】第４実施形態の背面図である。
【図１１】第４実施形態の左側面図である。
【図１２】第４実施形態の斜視図である。
【図１３】本発明の第５実施形態に係る宝石類の平面図である。
【図１４】従来の宝石を示す図である。
【発明を実施するための形態】
【００１５】
以下、本発明の各実施形態を図面に基づいて説明する。なお、「宝石類」とは、天然宝石（貴石及び半貴石を含む。）及び模倣宝石（合成宝石、人造宝石及び模造宝石を含む。）を含む意である。
【００１６】
図１〜６に示すように、第１実施形態である宝石類１は、カット（研磨を含む。）されたダイヤモンドであり、略円錐台形状をなして上部中央に平面状のテーブル２を有するクラウン３と、略円錐形状をなして下部中央に鋭いキューレット４を有するパビリオン５と、クラウン３とパビリオン５との境界部の周面を構成するガードル６とを備えている。ガードル６は、宝石類１の一番横幅（径）の広い部分であり、本実施形態では、平面視において略正２４角形に形成されることにより、略円形状をなしている。
【００１７】
テーブル２は、２４個の端辺２２を有した略正２４角形状に形成されることにより、略円形状をなしている。テーブル２の径Ｄ２は、ガードル６の径Ｄ１の約５０．７％とされている。なお、図１に示すように、径Ｄ１、Ｄ２は、それぞれ、相対する辺同士の間隔とする。
【００１８】
また、クラウン３の高さＨ１は、ガードル６の径Ｄ１の約１６．７２％とされている。テーブル２に平行でガードル６に囲まれた平面に対するクラウン３の傾斜角度θ（図４参照）は、約３４°とされている。
【００１９】
なお、宝石類１のデザイン及びプロポーションを良好に保つためには、径Ｄ１に対する径Ｄ２の比率は、約４６〜５６％の範囲が好ましく、角度θは、約３２〜３６°の範囲が好ましい。
【００２０】
クラウン３の周面３１には、平面視においてテーブル２の径方向に沿ってテーブル２の外周縁２０（詳しくは、テーブル２の角部２１）からガードル６まで延びる稜線９が、複数形成されている。なお、稜線９は、最初は２４本形成されるが、後述するように、小円ファセット７を形成するために、図１中、二点鎖線で表示される部分が欠落される。そして、隣り合う稜線９、９間は、複数の微小ファセット８０から構成されるファセット群８とされている。すなわち、稜線９は、隣接するファセット群８の区切りをなしている。なお、ファセット群８も、最初は２４群形成されるが、後述するように、小円ファセット７を形成するために、５群のファセット群８はその一部が欠落される。
【００２１】
各ファセット群８は、図１に示すように、ステップファセット列８４と、略三角形状の中間ファセット８２と、略三角形状のアッパーガードルファセット８３、８３とから構成されている。ステップファセット列８４は、略台形状をなす５個のステップファセット８１が、平面視においてテーブル２の径方向に沿って連設されたものである。なお、ステップファセット８１、中間ファセット８２、及び、アッパーガードルファセット８３が、微小ファセット８０に相当する。したがって、各微小ファセット８０は、略台形状又は略三角形状をなしている。
【００２２】
各ステップファセット８１は、上辺と下辺が平行で上辺が下辺よりも短い略台形状をなし、上辺と左側辺のなす角度、及び、上辺と右側辺のなす角度は、同一とされている。そして、各ステップファセット列８４において、最上位のステップファセット８１の上辺がテーブル２の１つの端辺２２と共通とされ、最上位のステップファセット８１以外のステップファセット８１の上辺がその１つ上のステップファセット８１の下辺と共通とされている。すなわち、ステップファセット８１間で隙間が無いように連設されている。また、ステップファセット列８４は、下位のステップファセット８１程テーブル２に対する傾きが大きくなるように構成されている。なお、テーブル２に対する傾きが大きくなるとは、テーブル２を水平面としたときに鉛直面に近づくことをいう。
【００２３】
中間ファセット８２は、ステップファセット列８４の最下位のステップファセット８１の下辺を上辺とし、上辺以外の他の２辺の長さが等しい略逆二等辺三角形状をなし、下端部はガードル６の上端周縁６１に接している。中間ファセット８２は、ステップファセット列８４の最下位のステップファセット８１よりも、テーブル２に対する傾きが大きくされている。
【００２４】
アッパーガードルファセット８３は、中間ファセット８２の上辺以外の２辺のうちの１辺と、稜線９と、ガードル６の上端周縁６１とに囲まれた略三角形状の切子面であり、中間ファセット８２の両側にそれぞれ形成され、すなわち、１つのファセット群８につき２個形成されている。各アッパーガードルファセット８３は、中間ファセット８２よりも、テーブル２に対する傾きが大きくされている。
【００２５】
クラウン３の周面３１には、テーブル２よりも小さい略円形状の１つの平面からなる小円ファセット７が、テーブル２に接して設けられている。具体的には、小円ファセット７は、上端辺７１がテーブル２の外周縁２０上にあり、下端部７２がガードル６の上端周縁６１に接して、上端辺７１中央と下端部７２中央とを結び平面視においてテーブル２の径方向に沿った仮想軸Ａ（図１参照）を対称軸として対称の略１７角形（正確には２１角形）に形成されている。また、小円ファセット７は、小円ファセット７をなす平面に対して垂直な方向から視認したときの形状が、円に近似するように形成されている。小円ファセット７は、クラウン３の周方向に沿って並設された５群のファセット群８に及んで設けられ、それら５群のファセット群８の一部を欠落させた部分とされている。
【００２６】
すなわち、宝石類１では、クラウン３を形成するとき、まず、テーブル２と２４群のファセット群８とを形成する。各ファセット群８の外周は、平面視において上辺が下辺よりも短い略台形状をなし、２４群のファセット群８は、テーブル２の周囲に放射状に、ファセット群８間で隙間が無いように形成される。そして、クラウン３の周方向に沿って並設された５群のファセット群８のうちの中央のファセット群８の上辺中央と下辺中央とを結ぶ直線が、小円ファセット７の対称軸となるように、それら５群のファセット群８を研磨することにより、それら５群のファセット群８の一部を欠落させて、略円形状の１つの平面からなる小円ファセット７を形成する。
【００２７】
ガードル６は、ガードル６の径Ｄ１に対して３〜６％の範囲の高さＨ２を有し、それぞれファセット群８に連接する２４個の平面部６３から構成されることにより平面視において略正２４角形に形成されて、各平面部６３間の境界線は稜線９に連接している。各平面部６３は、両端部が中央部よりも若干上下方向の幅が狭くされた略長方形状に形成されている。
【００２８】
パビリオン５は、ガードル６の径Ｄ１に対して約４１．６９％の高さ（深さ）Ｈ３を有している。なお、ダイヤモンドの代表的なカットであるラウンドブリリアントカットにおいて一般に理想とされるプロポーションでは、パビリオン５の深さは約４３．１％とされているが、宝石類１では、後述するように底部ファセット５３を形成したことから、パビリオン５の深さが少し浅くなっている。
【００２９】
パビリオン５には、ガードル６の下端周縁６２に接してそれぞれ略逆三角形をなす２４個のロウワーガードルファセット５１が、形成されている。各ロウワーガードルファセット５１は、ガードル６の下端周縁６２における平面部６３の下辺中央から隣接する平面部６３の下辺中央までの範囲を上辺とし、各ロウワーガードルファセット５１の上辺は、正確には直線ではなく、隣接する平面部６３同士の境界部下端に相当する中央部で、若干曲折している。ロウワーガードルファセット５１は、２個ずつが間の側辺を共通として隣接するロウワーガードルファセット組５４をなしている。
【００３０】
そして、ロウワーガードルファセット組５４同士の間には、それぞれ略菱形状をなすパビリオンメインファセット５２が形成され、パビリオン５には、全部で１２個のパビリオンメインファセット５２が形成されている。各パビリオンメインファセット５２は、上部の２つの側辺が、隣接するロウワーガードルファセット５１の側辺と共通とされている。
【００３１】
また、パビリオンメインファセット５２の下部同士の間には、それぞれ略菱形形状をなす底部ファセット５３が形成され、パビリオン５には、全部で１２個の底部ファセット５３が形成されている。各底部ファセット５３は、上部の２つの側辺が、隣接するパビリオンメインファセット５２の下部の側辺と共通とされている。
【００３２】
そして、１２個の底部ファセット５３は、底部ファセット５３同士の間に隙間が無いように、隣接する底部ファセット５３同士で下部の側辺を共通とし、底面視においてキューレット４を中心として放射状に設けられている。図５に示すように、テーブル２の中心（幾何学的中心）Ｃを通ってテーブル２に垂直な軸Ｂが、宝石類１の中心軸となり、中心軸はキューレット４を通っている。
【００３３】
なお、テーブル２に平行でガードル６に囲まれた平面に対するロウワーガードルファセット５１、パビリオンメインファセット５２、底部ファセット５３の傾斜角度は、それぞれ、約４１．４１°、約４０．７５°、約３６．５°である。
【００３４】
以上のように構成された宝石類１によれば、テーブル２及び小円ファセット７はいずれも１つの平面からなる略円形状をなし、テーブル２及び小円ファセット７以外の部分には、微小ファセット８０が略隙間なく配置されることとなって、テーブル２及び小円ファセット７と、微小ファセット８０が配置された部分とで、光の射出状態が大きく異なってコントラストが強くなるため、平面視において、テーブル２及び小円ファセット７からなる雪だるまのような形状を明確に視認させることが可能となる。すなわち、多数の微小ファセット８０がミラーボールのようにきらきらと輝く中に、テーブル２及び小円ファセット７が透明度の高い湖面のような奥深い光を放つこととなるため、テーブル２及び小円ファセット７が明確に視認できることとなる。
【００３５】
また、宝石類１では、各ファセット群８が、上辺と下辺とが平行で上辺が下辺よりも短い略台形状の５個のステップファセット８１が平面視においてテーブル２の径方向に沿って連設されたステップファセット列８４を含み、ステップファセット列８４は、最上位のステップファセット８１の上辺がテーブル２の端辺２２と共通とされ、最上位のステップファセット８１以外のステップファセット８１の上辺がその１つ上のステップファセット８１の下辺と共通とされ、下位のステップファセット８１程テーブル２に対する傾きが大きくなるように構成されている。すなわち、稜線９、９間に、略台形状のステップファセット８１が整然と並ぶステップファセット列８４が形成されている。そして、それら稜線９、９間に整然と並ぶステップファセット８１を複数欠落させて、略円形状の平面である小円ファセット７が形成されているので、小円ファセット７を際立たせることができる。換言すれば、平面視において、テーブル２の中心から放射状に延びる稜線９と、テーブル２の端辺２２に平行な稜線１０（図１参照）とが、規則的に配置されている中に、それらの稜線９、１０を欠落させて、小円ファセット７が形成されているので、小円ファセット７を際立たせることができる。
【００３６】
さらに、パビリオン５には、ガードル６の下端縁に接してそれぞれ略三角形状をなす２４個のロウワーガードルファセット５１が形成されて、ロウワーガードルファセット２４は、間の側辺を共通として隣接する２個ずつのロウワーガードルファセット組５４とされ、ロウワーガードルファセット組５４同士の間に、それぞれ略菱形状をなすパビリオンメインファセット５２が、隣接するロウワーガードルファセット５１と側辺を共通として形成され、パビリオンメインファセット５２の下部同士の間に、それぞれ略菱形形状をなす底部ファセット５３が、隣接するパビリオンメインファセット５２と側辺を共通とするとともに、隣接する底部ファセット５３同士で間の側辺を共通として形成され、底部ファセット５３は、キューレット４を中心として放射状に設けられている。この底部ファセット５３が設けられていない場合、テーブル２内に暗い環状の部分が視認されてしまうが、底部ファセット５３を設けることにより、テーブル２内に暗い環状の部分が視認されてしまうことを防止でき、宝石類１の美しさを向上させることができる。
【００３７】
次に、第２実施形態について、図７に基づいて説明する。なお、第１実施形態の構成要素と対応する構成要素については、同じ符号を用いて、その説明を適宜省略する。
【００３８】
図７に示すように、第２実施形態の宝石類１Ｂは、４個の小円ファセット７が、クラウン３の周囲に均等に設けられている（すなわち、クラウン３の周面３１を等分する位置に設けられている）。具体的には、各ファセット７の対称軸を延長した線Ｌ１、Ｌ２、Ｌ３、Ｌ４が平面視においてテーブル２の中心Ｃの周りを等分するように、各ファセット７が配置されている。なお、宝石類１Ｂは、上記のように４個の小円ファセット７が設けられている点以外は、第１実施形態の宝石類１と同様の構成を有している。
【００３９】
第２実施形態によれば、テーブル２と４個のファセット７とにより、クラウン３上に花のような形状が明確に視認されることとなる。
【００４０】
次に、第３実施形態について、図８に基づいて説明する。なお、第１実施形態の構成要素と対応する構成要素については、同じ符号を用いて、その説明を適宜省略する。
【００４１】
図８に示すように、第３実施形態の宝石類１Ｃは、３個の小円ファセット７が、平面視においてテーブル２の周囲に偏在している（すなわち、クラウン３の周面３１を等分しない位置に設けられている）。具体的には、各ファセット７の対称軸を延長した線Ｌ１、Ｌ２、Ｌ３は、平面視において、線Ｌ１と線Ｌ２の間、線Ｌ１と線Ｌ３との間が、それぞれ７５°、線Ｌ２と線Ｌ３の間が２１０°の角度とされている。なお、宝石類１Ｃは、上記のように３個の小円ファセット７が設けられている点以外は、第１実施形態の宝石類１と同様の構成を有している。
【００４２】
第３実施形態によれば、テーブル２の周囲に３個のファセット７が偏在しているので、テーブル２の周囲の小円ファセット７が配置されている側３２と配置されていない側３３とのコントラストが強くなるため、宝石類１Ｃが小さいものであっても、小円ファセット７が配置されている側３２に看者が注目し易くなり、テーブル２と小円ファセット７とからなる形状を更に明確に視認させることが可能となる。
【００４３】
なお、小円ファセット７の形状及び大きさは、上述したものに限られない、以下、小円ファセット７の形状及び大きさが上記各実施形態とは異なる第４、５実施形態について説明する。なお、第１実施形態の構成要素と対応する構成要素については、同じ符号を用いて、その説明を適宜省略する。
【００４４】
図９〜１２に示すように、第４実施形態の宝石類１Ｄは、第１実施形態の小円ファセット７よりも小さい小円ファセット７が１個形成されている。第４実施形態の小円ファセット７の下端部７２は、ガードル６には接してなく、中間ファセット８２の中央部付近に配置されている。また、第４実施形態の小円ファセット７は、略１８角形をなしている。宝石類１Ｄは、小円ファセット７の大きさ及び形状を除けば、第１実施形態と同様の構成を有している。
【００４５】
また、図１３に示すように、第５実施形態の宝石類１Ｅは、第１実施形態及び第４実施形態の小円ファセット７よりも小さい小円ファセット７が１個形成されている。宝石類１Ｅでは、各ファセット群８は、４個のステップファセット８１からなるステップファセット列８４と、中間ファセット８２と、中間ファセット８２の両側に形成される側部中間ファセット８５、８５と、アッパーガードルファセット８３とから構成されている。すなわち、微小ファセット８０として、側部中間ファセット８５も形成されている。
【００４６】
中間ファセット８２は、ステップファセット列８４の最下位のステップファセット８１の下辺を上辺として上辺以外の他の２辺の長さが等しい略逆二等辺三角形状をなし、下端部はガードル６の上端周縁６１よりも上位に配置されている。中間ファセット８２は、ステップファセット列８４の最下位のステップファセット８１よりも、テーブル２に対する傾きが大きくされている。
【００４７】
側部中間ファセット８５は、中間ファセット８２の上辺以外の２辺のうちの１辺、稜線９、及び、中間ファセット８２の下端部と稜線９の下端部とを結ぶ線、に囲まれた略三角形状の切子面であり、中間ファセット８２の両側にそれぞれ形成され、すなわち、１つのファセット群８につき２個形成されている。各側部中間ファセット８５は、中間ファセット８２よりも、テーブル２に対する傾きが大きくされている。
【００４８】
アッパーガードルファセット８３は、側部中間ファセット８５、８５と、ガードル６の上端周縁６１とに囲まれた略三角形状の切子面であり、上端部は中間ファセット８２の下端部に接している。アッパーガードルファセット８３は、側部中間ファセット８５よりも、テーブル２に対する傾きが大きくされている。
【００４９】
そして、第５実施形態の小円ファセット７は、クラウン３の周方向に沿って並列された３群のファセット群８に及んで、それら３群のファセット群８の一部を欠落させて形成され、下端部７２はアッパーガードルファセット８３の上端部に接している。また、第５実施形態の小円ファセット７は、略１５角形（正確には１９角形）をなしている。宝石類１Ｅは、小円ファセット７の大きさ及び形状を除けば、第１実施形態と同様の構成を有している。
【００５０】
これら第４、５実施形態に示すように、小円ファセット７は必ずしもガードル６に接する必要はない。また、小円ファセット７は、略円形状をなす多角形等、略円形状をなす形状であればよい。
【００５１】
また、小円ファセット７の個数も上述したものに限らず、テーブル２及び小円ファセット７によって視認させようとする形状に応じて、２個でもよいし、５個以上であってもよい。但し、４個以下の方が、微小ファセット８０の配置部分を多く残すことができ、小円ファセット７と微小ファセット８０の配置部分とのコントラストを強めることができるため、好ましい。
【００５２】
また、テーブル２は、略正ｎ角形（ｎ：２４以上３０以下の整数）であれば、略円形状をなすのでよい。
【００５３】
また、ガードル６は平面視において円形状であってもよい。すなわち、平面部６３に区切られていなくてもよい。
【００５４】
また、ステップファセット８１の段数（すなわち、１つのステップファセット列８４内のステップファセット８１の個数）は、４段以上６段以下であれば、クラウン３及び小円ファセット７の形成し易さの点で好ましい。
【００５５】
また、クラウン３のテーブル２及び小円ファセット７以外の部分に、微小ファセット８０を完全に隙間（間隔）無く配置する必要は無く、例えば稜線９を面取りする（したがって、稜線９は若干の幅を有することとなる。）ことにより、隣り合う微小ファセット８０間で若干の間隔が開くように構成してもよい。すなわち、クラウン３において、微小ファセット８０は、テーブル２及び小円ファセット７以外の部分に、略隙間無く配置されていればよい。
【００５６】
また、上記各実施形態では、クラウン３の周面３１にテーブル２の端辺２２の数に応じた数（以下、ｎ群とする。）のファセット群８を形成しておいてから、その一部をカットして欠落させることにより、小円ファセット７を形成したが、小円ファセット７の形成方法はかかる方法に限らず、結果的に、クラウン３が、周面３１にｎ群のファセット群８を並設して３群以上のファセット群８に及んで小円ファセット７を設けるとともにそれら３群以上のファセット群８の一部を欠落させた部分を小円ファセット７とした形状に、形成される方法であればよい。
【符号の説明】
【００５７】
１、１Ｂ、１Ｃ、１Ｄ、１Ｅ…宝石類
２…テーブル
３…クラウン
４…キューレット
５…パビリオン
６…ガードル
７…小円ファセット
８…ファセット群
９…稜線
８０…微小ファセット
８１…ステップファセット
８４…ステップファセット列
【図１】
0005855910.tif 000002
【図２】
0005855910.tif 000003
【図３】
0005855910.tif 000004
【図４】
0005855910.tif 000005
【図５】
0005855910.tif 000006
【図６】
0005855910.tif 000007
【図７】
0005855910.tif 000008
【図８】
0005855910.tif 000009
【図９】
0005855910.tif 000010
【図１０】
0005855910.tif 000011
【図１１】
0005855910.tif 000012
【図１２】
0005855910.tif 000013
【図１３】
0005855910.tif 000014
【図１４】
0005855910.tif 000015